(57)【要約】      （修正有）【課題】電気錠のメカ的不良であってもそれを検出する作動トラブルの原因発見装置を提供する。【解決手段】コネクタ接続部１又は２において電気錠ＥＲ１又はＥＲ２に接続し、各作動指令部３のボリュームを開放した状態で前記の各作動指令部３から当該電気錠ＥＲ１又はＥＲ２に逐次作動指令を出力し、その電気錠ER1又はＥＲ２が前記作動指令３を受けている状態で前記各ボリュームを絞り乍ら当該電気錠ＥＲ１又はＥＲ２の各作動状態が正常か否かを、前記パイロットランプの点灯，滅灯，点滅状態とボリュームの開放又は絞り度合いとの関係によって判別するようにしたこと。【選択図】図１
0003144431.tif 000002
【実用新案登録請求の範囲】
【請求項１】
電気錠とこの錠の作動状態を検出してその検出信号がフィードバックされるようにコネクタを介して前記電気錠に接続される制御盤とを備えた電気錠システムに対し、前記電気錠のコネクタに接続されて当該電気錠の施，解錠作動状態を検出するための電気錠のコネクタ接続部と、当該接続部から前記電気錠に各作動状態の指令を逐次出力して当該電気錠を施，解錠の各状態にそれぞれに作動させる各作動状態ごとを示す表示灯を有する複数の作動指令部と、当該各作動指令部に夫々にボリュームを介して接続されたバッテリ電源とを備えた作動トラブルの原因発見装置であって、当該装置を、前記コネクタ接続部において前記電気錠に接続し、前記各作動指令部のボリュームを開放した状態で前記の各作動指令部から当該電気錠に逐次作動指令を出力し、その電気錠が前記作動指令を受けている状態で前記各ボリュームを絞り乍ら当該電気錠の各作動状態が正常か否かを、前記パイロットランプの点灯，滅灯，点滅状態とボリュームの開放又は絞り度合いとの関係によって判別するようにしたことを特徴とする電気錠システムにおける作動トラブルの原因発見装置。
【請求項２】
作動指令部には、扉の開扉，閉扉状態を検出するための表示灯とこのランプを点滅させるための付属回路を備えた請求項１の作動トラブルの原因発見装置。
【考案の詳細な説明】
【技術分野】
【０００１】
本考案は、ビルやマンションなどの個々のドアに組込まれ、制御盤によって各錠の作動状態が常時監視，制御されるよう形成される電気錠システムにおいて、電気錠の作動不良（動作トラブル）の原因を、電気錠を動作させることを通して端的にチェックできる作動トラブルの原因発見装置に関する。
【背景技術】
【０００２】
オフィスビル等の大規模な建物においては、非常口，通用口等に数多くのドアが建付けられているため、各ドアの施錠等を管理するのが容易ではない。
【０００３】
そこで、各ドアにソレノイド等の電気駆動源によって施錠，解錠の作動をする電気錠を取付けると共に、これらの電気錠を警備室等に設けられる制御盤に接続して各錠の状態を集中的に監視，管理することが行われている。
【０００４】
ところが、上記電気錠システムをビル等の各出入口のドアと管理室等に設置される制御盤に施工する場合、ドア業者が電気錠の組込みおよびドア内の配線を行う一方、電気工事業者が制御盤を含む建物側の配線を行っている。そして、電気錠を含むドア側の配線と制御盤を含む建物側の配線とをコネクタ接続することで工事は完了している。
【０００５】
しかし、施工後に電気錠に動作トラブルが生じた場合、電気錠を含むドア側，制御盤を含む建物側の何れにトラブル原因があるかを特定するのが容易ではない。仮に、原因がドア側にあると特定できたとしても、トラブルの原因としては、電気錠本体の不良，ドア内部コネクタの接触不良，戸先（ドア）の隙間過大（ドアの形状不良、建付け不良など）が考えられるため、トラブルの原因を特定するのに長時間を要し、原因発見までの作業性が問題となっていた。
【０００６】
このような問題点に対し、ドア側の電気錠に異常（問題）がないかどうかをチェックできる装置が、特許文献１により提案されている
【０００７】
しかし乍ら、提案されている装置は、配設された電気錠の接点、その錠の駆動源、例えばソレノイドに断線や接触不良を検出するように構成されたものであるため、前記接点やソレノイドトラブルの原因となる不良点がなくても、実際に当該電気錠が電気錠システム上で作動するかどうかを判別することはできない。電気錠の不具合（作動不良）は、当該錠の電気的構成部分だけでなく、それ以外の要因、つまりメカ的要素などによっても生じることがあるからである。
【特許文献１】特許第３１３８７７５号公報
【考案の開示】
【考案が解決しようとする課題】
【０００８】
そこで本考案では、上記の問題点に鑑み、電気錠のメカ的要素に原因がある作動不良であってもそれを検出して前記従来技術では未解決であった問題点を解決することができる電気錠システムにおける作動トラブルの原因発見装置を提供することを課題とする。
【課題を解決するための手段】
【０００９】
上記課題を解決することを目的としてなされた本考案による作動トラブルの原因発見装置の構成は、電気錠とこの錠の作動状態を検出してその検出信号がフィードバックされるようにコネクタを介して前記電気錠に接続される制御盤とを備えた電気錠システムに対し、前記電気錠のコネクタに接続されて当該電気錠の施，解錠作動状態を検出するための電気錠のコネクタ接続部と、当該接続部から前記電気錠に各作動状態の指令を逐次出力して当該電気錠を施，解錠の各状態にそれぞれに作動させる各作動状態ごとを示す表示灯を有する複数の作動指令部と、当該各作動指令部に夫々にボリュームを介して接続されたバッテリ電源とを備えた作動トラブルの原因発見装置であって、当該装置を、前記コネクタ接続部において前記電気錠に接続し、前記各作動指令部のボリュームを開放した状態で前記の各作動指令部から当該電気錠に逐次作動指令を出力し、その電気錠が前記作動指令を受けている状態で前記各ボリュームを絞り乍ら当該電気錠の各作動状態が正常か否かを、前記パイロットランプの点灯，滅灯，点滅状態とボリュームの開放又は絞り度合いとの関係によって判別するようにしたことを特徴とするものである。
【考案の効果】
【００１０】
本考案原因発見装置は、電気錠を実際に作動させるとき、その作動指令信号（電流又は電圧）を、ボリュームによって抵抗値最小から最大の間に変化させて制御し、複数の作動状態を個々に示す複数のパイロットランプの個々の点灯，滅灯，点滅などの状態と前記ボリュームの開放~絞り度合との関係によってトラブル箇所やトラブルの程度（レベル、質）を特定し判断することができる。
【考案を実施するための最良の形態】
【００１１】
次に本考案の望ましい実施の形態例について図面を参照しつつ説明する。
添付した図において図１は本考案装置の一例のブロック図、図２は本考案装置の使用態様を説明するためのブロック図、図３は本考案装置により作動トラブルを検出するための一例を説明するためのフローチャート図、図４は本考案装置により作動トラブルを検出するための第二例を説明するためのフローチャート図、図５は考案装置により作動トラブルを検出するための第三例を説明するためのフローチャート図である。
【００１２】
図1に示す本考案装置のブロック図において、ER1、ER2は本考案装置を接続する、ここでは２種（Ａ社とＡ社以外）の電気錠、１はＡ社の電気錠ER1のコネクタに接続するための第１コネクタ接続部、２はＡ社以外のメーカーの電気錠ER2のコネクタに接続するための第２コネクタ接続部、３は、制御プログラムを搭載した制御部４にコネクタ５を介して接続された電気錠ER1またはER2に対する作動指令部で、この指令部３の作動指令（ボタン操作）は、制御部４を経由しコネクタ６を介して前記電気錠ER1又はER2の夫々のコネクタ１又は２に送られるようになっている。
【００１３】
作動指令部３は、第一の表示灯として施錠を示す施錠LED31、閉扉を示す閉扉LED33、開錠LED32が、夫々に付属部品（回路を含む）R1，R2，R3を備えて電源回路７に接続されている。
ここで付属部品（回路）は、施錠，開錠，閉扉回路の各スイッチSW1，SW2，SW3、可変抵抗（ボリューム）V1，V2，V3、第二の表示灯としてのパイロットランプP1，P2，P3を備えて形成されている（図２，図３参照）。
【００１４】
電源回路７は、コネクタ7aを介して、この例では27Vの電池による電源８に接続されていると共に、電源スイッチ8aと、前記作動指令部３に並列に設けたセットアップスイッチ９と１回開錠スイッチ10を備えており、前記作動指令部３、制御部４，電気錠ER1，ER2に対する電源として作用する。
【００１５】
図１，図２により説明した本考案装置は、図２のフローチャートに例示する態様で操作使用されるので、以下に説明する。なお、図２において図１と同一部材は同一符号を使用している。
まず、ステップS1で本考案装置のセットと初期化を行う。すなわち、第１コネクタ接続部１又は第２コネクタ接続部２を、いずれかの電気錠ER1又はER2に接続し、次いで、閉扉，開錠，施錠の各LED31〜33を備えた回路の夫々のスイッチSW1，SW2，SW3をOFFにして、これらの設定ボリュームV3〜V1をゼロ（０）側へ一杯回す操作をすることによりなされる。
【００１６】
上記初期化が完了したら、次のステップS2，S3で通電時開錠、瞬時通電による施開錠（モータ錠の場合は閉扉，施錠状態にしておく）、通電時施錠（このときは閉扉，開錠にしておく）の試行（試験）ができるようにセットする。
【００１７】
試験を開始するためステップS4で電源スイッチ8aをONにする。ステップS5で「通電時開錠」するとLED31のみが点灯する。また、「通電時施錠」ではLED32のみが点灯する。この状態が正常であるが、前記LED31と32が、上記以外の点灯態様である場合にはトラブルがあることを意味する。この場合については、図３を参照して後に説明する。
【００１８】
次に、ステップS6でセットアップスイッチ９をON（押す）にする。このスイッチ９がONになると、接続された電気錠ER1又はER2の自動認識が始まる（ステップS7）。この自動認識では、LED31のみが点滅した後から点灯するように制御部４が働くので、LED31のみの前記挙動（点滅後の点灯）の有無がステップS8で判別される。
【００１９】
次のステップS9においては、LED31の点滅の挙動が上記の「正常」であれば、どこにもトラブルはない「正常」と判断できるので、１回開錠スイッチ10を押す（ON）ことにより、電気錠ER1又はER2の開錠動作を確認して試験を終える。この開錠動作は電源８の電力を使う。
【００２０】
一方、LED31の点滅挙動が「正常」でない場合には、３個のLED31〜33が同時に点滅して「異常」があることを表示する。この異常状態に対しては、本考案では図３のフローチャート図の流れに沿って試験を進める。
【００２１】
図３のトラブルシューティングにおいては、まず、ステップS10において、 (イ)「通電開錠，瞬時通電施開錠（モーター錠の場合、閉扉、施錠状態）したとき、閉扉ランプP3と、施錠ランプP1が点灯しているか否か」をチェックする。 (ロ)「通電時施錠の場合には、閉扉ランプP3，開錠ランプP2が点灯しているか否か」をチェックする。
【００２２】
ステップ10の上記(イ)又は(ロ)のチェックにおいて、所定のランプが点灯していない（減光又は消灯ともいう。以下、同じ。）場合には、「結線不良」、「断線」、「電気錠自体の不良」があると判断する（ジャッジJ1）。
【００２３】
一方、ステップ10の上記(イ)又は(ロ)のチェックにおいて、所定ランプが点灯している場合には、ステップS11で「LED31が点滅しているか否か」をチェックする。LED31が点滅していない場合には、ステップS12で当該「LED31が点灯しているか否か」をチェックする。
【００２４】
ステップS11でLED31が点滅しているか、又は、ステップS12でLED31が点灯していないことが検出された場合には、施錠信号が「接続部などの接触抵抗の増大」、「電気錠の各マイクロスイッチの接触抵抗の増大」などの原因によって順調に伝達されていないと判断する（ジャッジJ2）。
【００２５】
ステップS12においてLED31が点灯していることが判った場合には、ステップS13で電気錠を開錠して閉扉状態にする。この状態において、ステップS14で「LED32が消灯、又は、点滅しているか否か」をチェックする。このチェックにおいて、LED32が消灯、又は、点滅していると、ジャッジJ3で開錠信号のラインに「接続部などの接続抵抗の増大」、「電気錠の各マイクロスイッチの接触抵抗の増大」などによって、開錠信号が順調に流れていないことが判別できる。
【００２６】
前記ステップS14におけるLED32の点滅状態のチェックにおいて「LED32が消灯、又は、点滅していない」場合には、ステップS15でLED33が「点灯又は点滅しているか否か」をチェックする。ステップS15のチェックにおいてLED33が点灯又は点滅している場合には、開扉信号のライン「接続部などの接続抵抗の増大」、「電気錠の各マイクロスイッチの接触抵抗の増大」などによって開扉状態を示す信号が順調に流れていないことが判別できる（ジャッジJ4）。
【００２７】
ステップS15における上記LED33の点灯又は点滅の有無のチェックにおいて、点灯も点滅もない場合には、電源８の消耗が考えられるため、電源８の電池を新品に交換するか、或は、ACアダプタの電源を用いて再度試験をすることになる（ジャッジJ5）。
【００２８】
以上の説明は、本考案装置による同一メーカーの制御盤に接続されている電気錠ER1又はER2の動作試験でセットアップが正しく実行されなかった場合のチェック例である。しかし、電気錠ER1又はER2によっては、制御盤が当該電気錠と同一メーカーのものでない場合にも、その電気錠が正常に動作しない場合のあることが知られている。そこで本考案装置では、電気錠ER1又はER2と制御盤が同一メーカーのものでない場合の動作不良の原因もチェックできるように構成されているので、この点について図４，図５を参照して説明する。図４，図５の例は、本考案装置に接続した状態では問題なく動作する電気錠と、これに接続された制御盤のメーカーが錠と同一ではないため動作しないなどの動作不良がある場合の原因を突止める例である。
【００２９】
この場合、本考案装置の初期化（スタンバイ）の内容は、図２におけるステップS2，同S3と同じ設定である（図４のステップS30参照）。
このスタンバイ状態で扉付近に位置した電気錠の接続部（コネクタ）において、本考案装置とチェックすべき電気錠ER1又はER2を接続する（ステップS31）。
次いで、ステップS32において閉扉，開錠，施錠の各回路のスイッチSW3，SW2，SW1をONにし、ステップS33で前記各スイッチSW3〜SW1に対応した各ボリュームV3〜V1を０側に一杯回す。
【００３０】
次に、ステップS34で(i)LED31が消灯するまで施錠ボリュームV1を戻し、(ii)その後、LED31が再点灯するまで前記ボリュームV1を０側へ回してから、(iii)施錠スイッチSW1をOFFにする。
【００３１】
上記ステップ34の設定状態で、施錠スイッチSW1をONにしてLED31が点灯するか否かをステップS35で判別する。ここでLED31が点灯すれば、正常であるので次のステップS36に移行するが、LED31が点灯しない場合は施錠信号系に異常があると判別する。
【００３２】
次に、ステップS36では、(i)LED32が消灯するまで、開錠ボリュームV2を戻し、(ii)しかる後、そのボリュームV2をLED32が点灯するまで０側へ回す。(iii)LED32が点灯したところで、開錠スイッチSW2をOFFにする。
【００３３】
上記ステップS36の設定状態において、開錠スイッチSW2をONにしてLED32が点灯するか否かをステップS37で判別する。LED32が点灯すれば、開錠信号系は正常，電気錠も正常であると判断し、次のステップS38へ移行できるが、LED32が点灯しなければ開錠信号系に異常（トラブル）があると判別する。
【００３４】
ステップS38では、(i)閉扉LED33が消灯するまで、閉扉ボリュームV3を戻し、(ii)しかる後、ボリュームV3をLED33が点灯するまで０側へ回し、閉扉LED33が点灯したら閉扉スイッチSW3をOFFにする。LED33は閉扉状態で消灯し、開扉時には点灯する回路構成を電気錠を経由した回路で備えている。
【００３５】
上記ステップS38の設定状態において、閉扉スイッチをONにしLED33が消灯しているかどうかをステップS39で判別する。閉扉されていればLED33は点灯しない（消灯）であるから正常と判別するが、LED33が点灯すると、開扉信号系に異常があると判断する。
【００３６】
上記の施錠信号系，開錠信号系，開扉信号系のそれぞれの異常は、電気錠本体に異常があるか、或は、電気錠と配線の接続部に不良があると判断する（ジャッジJ6、図５参照）。
【００３７】
前記ステップS39で正常であった場合、図５に示すように本考案装置を、現在設置されている制御盤（図示せず）と接続し（ステップS40）、当該制御盤において、前記ステップS31〜S39のチェックを逐次実行する（ステップS41）。
ステップS41でのチェックの結果、すべてのステップで正常であるときは、前記制御盤に問題があると判断し（ジャッジJ7）、また、このステップS41で実行した先のステップS31〜S39のチェックにおいていずれかのステップ（S31〜S39）で異常が判別された場合には、制御盤までの配線、又は、接続部に不良箇所があると判別する（ジャッジJ8）。
【産業上の利用可能性】
【００３８】
本考案は以上の通りであって、電気錠とこの錠の作動状態を検出してその検出信号がフィードバックされるようにコネクタを介して前記電気錠に接続される制御盤とを備えた電気錠システムに対し、前記電気錠のコネクタに接続されて当該電気錠の施，解錠作動状態を検出するための電気錠のコネクタ接続部と、当該接続部から前記電気錠に各作動状態の指令を逐次出力して当該電気錠を施，解錠の各状態にそれぞれに作動させる各作動状態ごとを示す表示灯を有する複数の作動指令部と、当該各作動指令部に夫々にボリュームを介して接続されたバッテリ電源とを備えた作動トラブルの原因発見装置であって、当該装置を、前記コネクタ接続部において前記電気錠に接続し、前記各作動指令部のボリュームを開放した状態で前記の各作動指令部から当該電気錠に逐次作動指令を出力し、その電気錠が前記作動指令を受けている状態で前記各ボリュームを絞り乍ら当該電気錠の各作動状態が正常か否かを、前記パイロットランプの点灯，滅灯（消灯），点滅状態とボリュームの開放又は絞り度合いとの関係によって判別するようにして本考案原因検出装置を構成したので、検査する電気錠や制御盤に電源が接続されていなくても、電気錠を動作させて当該電気錠や制御盤の良否テストを行うことができるので、きわめて有用である。
【図面の簡単な説明】
【００３９】
【図１】本考案装置の一例のブロック図。
【図２】本考案装置の使用態様を説明するためのブロック図。
【図３】本考案装置により作動トラブルを検出するための一例を説明するためのフローチャート図。
【図４】本考案装置により作動トラブルを検出するための第二例を説明するためのフローチャート図。
【図５】本考案装置により作動トラブルを検出するための第三例を説明するためのフローチャート図。
【符号の説明】
【００４０】
１                第１コネクタ接続部
２                第２コネクタ接続部
３                作動指令部
４                制御部
５，６            コネクタ
７                電源回路
８                電源
９                セットアップスイッチ
10                １回開錠スイッチ
ER1，ER2          電気錠
SW1，SW2，SW3    スイッチ
31，32，33       ＬＥＤ
P1，P2，P3       パイロットランプ
V1，V2，V3       可変抵抗（ボリューム）
【図１】
0003144431.tif 000003
【図２】
0003144431.tif 000004
【図３】
0003144431.tif 000005
【図４】
0003144431.tif 000006
【図５】
0003144431.tif 000007